(57)【要約】【課題】メッシュ構造の開閉パネルのコストダウンを図るのに寄与できる開閉パネル係止装置を提供する。【解決手段】ガイド部材１６は、左右両垂直線材部２１ａ，２１ｂにスライドバー挿通部２２ａ，２２ｂが形成されたもので、この左右両垂直線材部２１ａ，２１ｂの内、開閉パネル５の側辺に近い側の外側垂直線材部２１ａが、開閉パネル５の最外側縦線材２３ａとその内側２番目の縦線材２３ｂとの間に配置され、当該外側垂直線材部２１ａから突出している前記スライドバー１７には、このスライドバー１７が進出限位置にあるときに、当該スライドバー１７が挿通するサイドパネル２，３側の被係止部材１９を開閉パネル５の最外側縦線材２３ａとの間で挟んで位置決めする位置決め用フランジ部材３０が取り付けられた構成。【選択図】図３
2009051519.tif 000002
【特許請求の範囲】
【請求項１】
メッシュ構造の開閉パネルの外側に固着されたガイド部材によって当該開閉パネルの縦線材の外側で左右横向きに支持されて軸心方向のスライドと軸心周りの自転とが可能なスライドバーと、このスライドバーに取り付けられて当該スライドバーと一体に上下動自在な操作レバーと、開閉パネルが閉じ位置に達したときに当該開閉パネルの縦線材間を貫通するように他のパネルの前側辺から突設された被係止部材を備えた荷役用パレットの開閉パネル係止装置において、前記ガイド部材は、左右両垂直線材部にスライドバー挿通部が形成されたもので、この左右両垂直線材部の内、開閉パネルの側辺に近い側の外側垂直線材部が、開閉パネルの最外側縦線材とその内側２番目の縦線材との間に配置され、当該外側垂直線材部から突出している前記スライドバーには、このスライドバーが進出限位置にあるときに、当該スライドバーが挿通する前記被係止部材を開閉パネルの最外側縦線材との間で挟んで位置決めする位置決め用フランジ部材が取り付けられている、荷役用パレットの開閉パネル係止装置。
【発明の詳細な説明】
【技術分野】
【０００１】
本発明は、荷役用パレットに使用されているメッシュ構造の開閉パネルを閉じ位置で係止する係止装置に関するものである。
【背景技術】
【０００２】
メッシュ構造の開閉パネルを備えた荷役用パレットは、特許文献１にも記載されるように従来周知であって、例えば左右両サイドパネルの前側辺間を開閉するメッシュ構造の開閉パネルが荷支持台に起伏開閉自在に取り付けられ、当該開閉パネルを閉じ位置で左右両サイドパネルに係止する係止装置が設けられている。この開閉パネルの係止装置は、開閉パネルの外側に固着されたガイド部材によって当該開閉パネルの縦線材の外側で左右横向きに支持されて軸心方向のスライドと軸心周りの自転とが可能なスライドバーと、このスライドバーに取り付けられて当該スライドバーと一体に上下動自在な操作レバーと、開閉パネルが閉じ位置に達したときに当該開閉パネルの縦線材間を貫通するように左右両サイドパネルの前側辺から突設された被係止部材を備え、下向きに倒された前記操作レバーと開閉パネルの縦線材との係合により前記スライドバーを、前記被係止部材の横向き貫通孔部に挿入した進出限位置と当該横向き貫通孔部から離脱した後退限位置とで位置決めできるように構成されたものである。
【特許文献１】実公平８−２１０１号公報
【発明の開示】
【発明が解決しようとする課題】
【０００３】
而して、特許文献１にも記載されるように、従来の開閉パネルの係止装置では、この係止装置によって開閉パネルの側辺と連結されるサイドパネルの前側辺の左右横方向の揺動（遊び）を小さく抑えるために、開閉パネルの最外側縦線材と内側２番目の縦線材との中間位置に別の縦線材を追加し、この追加された中間縦線材と最外側縦線材との間に、サイドパネルの前側辺から突出する被係止部材が貫通するスリット部を形成している。換言すれば、開閉パネルの縦線材間の間隔は、１０ｍｍ程度の線径の線材を曲げ加工して構成される前記被係止部材の厚さ（１０ｍｍ程度）と比較して相当広いのが普通であるから、この広い縦線材間をそのままサイドパネル側の被係止部材が貫通するスリット部としたのでは、当該被係止部材の横向き貫通孔部に開閉パネル側のスライドバーを挿通させて開閉パネルを閉じ位置で係止させても、単に開閉パネルが開動するのを防止できるだけで、サイドパネルの前側辺の位置を規制することができず、開閉パネル側の広い縦線材間でのサイドパネル側の被係止部材の遊動を伴ってサイドパネルが左右横方向に大きく揺れ動くことになる。このような不都合を回避するため、従来は上記のように中間縦線材を追加して被係止部材が貫通するスリット部の幅を狭めていたのである。従って、開閉パネルの縦線材の本数が増え、材料コスト及び加工コストが増える結果となっていた。
【課題を解決するための手段】
【０００４】
本発明は上記のような従来の問題点を解消し得る開閉パネル係止装置を提供することを目的とするものであって、請求項１に記載の開閉パネル係止装置は、後述する実施形態の参照符号を付して示すと、メッシュ構造の開閉パネル５の外側に固着されたガイド部材１６によって当該開閉パネル５の縦線材２３ａ〜２３ｃの外側で左右横向きに支持されて軸心方向のスライドと軸心周りの自転とが可能なスライドバー１７と、このスライドバー１７に取り付けられて当該スライドバー１７と一体に上下動自在な操作レバー１８と、開閉パネル５が閉じ位置に達したときに当該開閉パネル５の縦線材２３ａ，２３ｂ間を貫通するように他のパネル（サイドパネル２，３）の前側辺から突設された被係止部材１９を備えた荷役用パレットの開閉パネル係止装置において、前記ガイド部材１６は、左右両垂直線材部２１ａ，２１ｂにスライドバー挿通部２２ａ，２２ｂが形成されたもので、この左右両垂直線材部２１ａ，２１ｂの内、開閉パネル５の側辺に近い側の外側垂直線材部２１ａが、開閉パネル５の最外側縦線材２３ａとその内側２番目の縦線材２３ｂとの間に配置され、当該外側垂直線材部２１ａから突出している前記スライドバー１７には、このスライドバー１７が進出限位置にあるときに、当該スライドバー１７が挿通する前記被係止部材１９を開閉パネル５の最外側縦線材２３ａとの間で挟んで位置決めする位置決め用フランジ部材３０が取り付けられた構成となっている。
【発明の効果】
【０００５】
上記請求項１に記載の本発明に係る開閉パネル係止装置によれば、開閉パネルの最外側縦線材とその内側２番目の縦線材との間が、この係止装置を介して開閉パネルの側辺と連結される他のパネル（以下、サイドパネルという）側の被係止部材が貫通するスリット部となるが、このスリット部に嵌入するサイドパネル側の被係止部材にスライドバーが挿通され、当該スライドバーが進出限位置に達したときには、このスライドバーの位置決め用フランジ部材が前記被係止部材を開閉パネルの最外側縦線材の方へ押して、当該開閉パネルの最外側縦線材との間で被係止部材を挟んで位置決めすることができる。換言すれば、前記被係止部材が嵌入するスリット部に対して、これに嵌入される被係止部材を左右横方向に関して位置決めできるほどの幅に狭める対策を講じなくとも、スライドバーをサイドパネル側の被係止部材に挿通させてこの開閉パネルをサイドパネル側に係止させたときには、前記スリット部の幅を追加の縦線材などで狭めたときと同じように、被係止部材の左右横方向の遊動（遊び）を必要最小限まで狭めて、この係止装置で開閉パネルの側辺をサイドパネル側に係止した状態での当該サイドパネルの左右横方向の遊動（遊び）を最小限に抑えることができる。即ち、開閉パネル閉じ状態でのサイドパネルの左右横方向の揺れ動きを確実に防止することができる。しかも、開閉パネル側に縦線材を追加する必要がなく、単にスライドバーに小さなフランジ部材を取り付けておくだけの簡単で安価に実施できる手段により所期の目的を達成することができるので、開閉パネル全体の重量アップ、材料コスト及び加工コストの増大を最小限に抑えることができる。
【発明を実施するための最良の形態】
【０００６】
以下に本発明に係る係止装置を採用した折り畳み自在な箱型パレットの具体的実施例を添付図に基づいて説明すると、図１及び図２において、１は平面矩形の荷支持台、２，３は荷支持台１の左右両側辺から起立するサイドパネル、４は荷支持台１の後側辺から起立するバックパネル、５は荷支持台１の前側辺から起立する開閉自在な開閉パネルである。荷支持台１は、フレーム構造体６とその上に重ねて固着されたメッシュ構造体７とから構成され、フレーム構造体６の四隅近傍の下側には、脚体８が付設されている。サイドパネル２，３は、バックパネル４の左右両側辺にコイルヒンジ９を介して当該バックパネル４の内側に重ねるように折り畳み自在に連結されている。バックパネル４は、その下端から内側に直角に折曲連設された折曲底辺部１０を備えた側面視Ｌ形のもので、その折曲底辺部１０の先端においてヒンジ１１により荷支持台１上に起伏自在に連結されている。
【０００７】
開閉パネル５は、下側パネル部５ａと、この下側パネル部５ａの上辺にヒンジ１２によって前後開閉自在に連結された上側パネル部５ｂとから成り、下側パネル部５ａの下辺が荷支持台１の前側辺にコイルヒンジ１３により起伏自在に連結されている。そして、垂直に起立させた開閉パネル５の下側パネル部５ａの左右両側辺上端部と上側パネル部５ｂの左右両側辺上端部とをサイドパネル２，３の前側辺に係止する４つの係止装置１４が併設されている。
【０００８】
上記構成の荷役用パレットは、図１に示す組立て状態において、各パネル２〜５で囲まれた荷支持台１上の荷収納空間内に荷を収納して、運搬や保管に利用されるものであるが、荷を取り出すときは、係止装置１４を解除して、開閉パネル５の全体又は上側パネル部５ｂのみを手前に回倒して荷収納空間の前側を開放することができる。この組立て状態での荷役用パレットは、図２に仮想線で示すように、上段のパレットの左右両側の脚体８を下段のパレットの左右両サイドパネル２，３の上辺に嵌合させることにより、段積みすることができる。
【０００９】
使用しない荷役用パレットは、係止装置１４を解除して荷支持台１上に開閉パネル５を重ねるように折り畳み、左右両サイドパネル２，３をバックパネル４の内側に重ねるように折り畳んだ状態で当該バックパネル４を荷支持台１上に重ねるように折り畳むことにより、荷支持台１上の高さが、最上位に位置する折り畳まれたバックパネル４の垂直姿勢にある折曲底辺部１０の高さ相当まで低くすることができる。この実施形態でのパレットは、折り畳んだパレットを段積みするための折り畳み段積み用支持具１５が、荷支持台１の左右両側辺の前後２箇所に付設されている。従って、この実施形態では、左右両サイドパネル２，３の外側に位置する折り畳み段積み用支持具１５が、組立て状態で左右両サイドパネル２，３が外側へ開くのを阻止するストッパーとなっている。
【００１０】
上記構成の折り畳み自在な箱型の荷役用パレットに採用された本発明の係止装置１４の詳細を、図３〜図１０に基づいて説明すると、各係止装置１４は、開閉パネル５の外側に付設されるガイド部材１６、このガイド部材１６に支持されたスライドバー１７、このスライドバー１７に取り付けられた操作レバー１８、及び左右両サイドパネル２，３に取り付けられた被係止部材１９から構成されている。
【００１１】
ガイド部材１６は、１本の丸棒状線材を正面形状門形に曲げ加工して構成されたもので、水平線材部２０の左右両端から下向きに延びる左右一対の垂直線材部２１ａ，２１ｂの上端部に、前方へ円弧形に突出するスライドバー挿通部２２ａ，２２ｂが形成されている。このガイド部材１６が取り付けられる開閉パネル５の下側パネル部５ａ及び上側パネル部５ｂは、左右方向適当間隔おきに並列配置された縦線材２３と、この縦線材２３の内側で上下方向適当間隔おきに並列配置された横線材２４とを、両者の交叉部で互いに溶接することにより構成したメッシュ構造のものであって、図示の上側パネル部５ｂの最上位の横線材２４で示すように、横線材２４は、パネル部５ａ，５ｂの上下両端などにおいて必要に応じて縦線材２３を内外両側から挟むように２本並列固着して補強することができる。
【００１２】
而して上記構成のガイド部材１６は、下側パネル部５ａの左右両側辺上端部と上側パネル部５ｂの左右両側辺上端部とに溶接により取り付けられるが、このとき、各パネル部５ａ，５ｂの左右両側辺を構成する最外側縦線材２３ａとその内側２番目の縦線材２３ｂとの中間位置に外側の垂直線材部２１ａが位置すると共に、前記２番目の縦線材２３ｂとその内側の３番目の縦線材２３ｃの外側に水平線材部２０が重なり、そして左右一対の垂直線材部２１ａ，２１ｂが前記スライドバー１７（水平線材部２０）の直下に位置する上下２本の横線材２４ａ，２４ｂの外側に重なるようにガイド部材１６が位置決めされ、垂直線材部２１ａ，２１ｂと横線材２４ａ，２４ｂとの間の４箇所の交叉隣接部２５ａ〜２５ｄでの溶接により、ガイド部材１６が各パネル部５ａ，５ｂ側の線材に固着される。
【００１３】
スライドバー１７は、ガイド部材１６における左右一対の垂直線材部２１ａ，２１ｂの内、内側の垂直線材部２１ｂから各パネル部５ａ，５ｂの最外側縦線材２３ａまでの水平距離よりも長いもので、適当太さの丸棒状線材から構成され、ガイド部材１６における左右一対のスライドバー挿通部２２ａ，２２ｂに水平に挿通されている。操作レバー１８は、丸棒状線材を正面角Ｕ字形に曲げ加工すると共に、左右一対の縦線材部１８ａ，１８ｂを側面視においてくの字形に折曲させたものであって、当該縦線材部１８ａ，１８ｂの中間折曲部が各パネル部５ａ，５ｂから離れる向きで、両縦線材部１８ａ，１８ｂの先端近傍部をスライドバー１６の内側（各パネル部５ａ，５ｂのある側）に溶接により固着している。
【００１４】
而して、操作レバー１８の縦線材部１８ａ，１８ｂの先端部が係止部２６ａ，２６ｂとなっており、この両係止部２６ａ，２６ｂの少なくとも一方（図示例では内側の係止部２６ｂ）が、図３Ａに示すように前記２本の縦線材２３ｂ，２３ｃの少なくとも一方（図示例では縦線材２３ｃ）の外側（垂直線材部２１ａのある側）に隣接するとき、スライドバー１７はガイド部材１６に対して進出限位置に保持され、図５に示すように、両係止部２６ａ，２６ｂの少なくとも一方（図示例では外側の係止部２６ａ）が、前記２本の縦線材２３ｂ，２３ｃの少なくとも一方（図示例では縦線材２３ｂ）の外側（垂直線材部２１ｂのある側）に隣接するとき、スライドバー１７はガイド部材１６に対して後退限位置に保持されるように構成されている。
【００１５】
被係止部材１９は、丸棒状線材を横向きＵ字形に曲げ加工して先端に横向き貫通孔部１９ａを形成したものである。この被係止部材１９が取り付けられる左右両サイドパネル２，３は、開閉パネル５と同様に、前後方向適当間隔おきに並列配置された外側の縦線材２７と、上下方向適当間隔おきに並列配置された内側の横線材２８とを両者の交叉部で互いに溶接することにより構成されたメッシュ構造のものであって、図示の最上位の横線材２８で示すように、横線材２８は、サイドパネル２，３の上下両端など必要に応じて縦線材２７を内外両側から挟むように２本並列固着して補強することができる。又、パレットを段積みするときにサイドパネル２，３の上に上段パレットの脚体８が嵌合して載置されるが、この上段パレットの脚体８を支持する箇所では、図示のように横線材２８を内外両側から挟むように縦線材２７を２本並列固着して、パネルの座屈強度を高めることができる。
【００１６】
而して、前記被係止部材１９は、左右両サイドパネル２，３の前側辺間を開閉パネル５が閉じた状態にあるとき、各係止装置１４のスライドバー１７に対応する高さでサイドパネル２，３の前側辺から先端の横向き貫通孔部１９ａが突出するように、各サイドパネル２，３の前側辺に固着されている。即ち、被係止部材１９の上下一対の水平線材部１９ｂ，１９ｃが、サイドパネル２，３の上下２本の横線材２８間で、最前列の縦線材２７ａと内側２番目の縦線材２７ｂとに溶接により固着されている。尚、２番目の縦線材２７ｂは、先に述べた座屈強度を高めるために内外２本が並列配置されているので、被係止部材１９の上下一対の水平線材部１９ｂ，１９ｃの端部は、この並列する２本の縦桟材２７ｂ間に挟まれた状態で溶接されている。
【００１７】
上記構成の各係止装置１４において、図４に示すように、スライドバー１７の先端近傍位置には、位置決め用フランジ部材３０が同心状に固着されている。この位置決め用フランジ部材３０は、被係止部材１９の横向き貫通孔部１９ａ内を通過できない直径のものであって、図３及び図６に示すように、ガイド部材１６の外側垂直線材部２１ａと開閉パネル５の最外側縦線材２３ａとの間のスリット部２９内に嵌入した被係止部材１９の横向き貫通孔部１９ａをスライドバー１７が挿通し、当該スライドバー１７が、操作レバー１８の縦線材部１８ｂの先端の係止部２６ｂとその内側に隣接する開閉パネル５側の縦線材２３ｃとで位置決めされる進出限位置に達したとき、位置決め用フランジ部材３０が被係止部材１９を外向きに押して、開閉パネル５の最外側縦線材２３ａとの間で挟んで位置決めするものである。
【００１８】
上記構成によれば、図７及び図１０に示すようにスライドバー１７を後退限位置に移動させた状態で開閉パネル５（上下各パネル部５ａ，５ｂ）を閉動起立させ、左右両サイドパネル２，３の前側辺から突出する各被係止部材１９を、図７に仮想線で示すように、開閉パネル５側の最外側縦線材２３ａとガイド部材１６の外側垂直線材部２１ａとの間のスリット部２９内、実際には当該スリット部２９内でスライドバー１７の先端と開閉パネル５側の最外側縦線材２３ａとの間、に挿通させる。このようにして開閉パネル５（上下各パネル部５ａ，５ｂ）の左右両側辺の内側に左右両サイドパネル２，３の前側辺を隣接させ、係る状態でスライドバー１７を後退限位置から進出限位置に移動させる。
【００１９】
即ち、図５に示すように普段は重力でスライドバー１７から垂れ下がった姿勢にある操作レバー１８を、その水平線材部１８ｃを手前上方に持ち上げるようにして、スライドバー１７と一体に上向きに回転させる。この結果、図５に仮想線で示すように、当該操作レバー１８の縦線材部１８ａ，１８ｂの先端部である係止部２６ａ，２６ｂが、側面視において開閉パネル５側の縦線材２３ｂ，２３ｃより外側に離れるので、係る状態で操作レバー１８によりスライドバー１７を被係止部材１９のある側へ横動進出させ、図３及び図６に示すように、スライドバー１７の先端部を被係止部材１９の横向き貫通孔部１９ａに挿通させる。スライドバー１７が進出限位置に達したとき、操作レバー１８の外側の縦線材部１８ａがガイド部材１６の外側の垂直線材部２１ａに隣接して、それ以上のスライドバー１７の移動が制限されるので、係る状態で操作レバー１８をスライドバー１７と一体に回転させて下方に回倒させる。この結果、操作レバー１８の縦線材部１８ｂの先端部である係止部２６ｂが開閉パネル５側の縦線材２３ｃの外側（ガイド部材１６の外側の垂直線材部２１ａがある側）に隣接するので、スライドバー１７から垂れ下がった姿勢の操作レバー１８を介してスライドバー１７が進出限位置に係止されることになる。
【００２０】
上記操作により各係止装置１４が、左右両サイドパネル２，３の前側辺と開閉パネル５の左右両側辺とをスライドバー１７と被係止部材１９とで係止したことになるが、このとき、図３及び図６に示すように、被係止部材１９は、進出限位置にあるスライドバー１７の位置決め用フランジ部材３０と開閉パネル５側の最外側縦線材２３ａとの間で挟まれて位置決めされている。係る係止状態では、開閉パネル５（上下各パネル部５ａ，５ｂ）が手前に開動することは、開閉パネル５側のスライドバー１７が被係止部材１９の横向き貫通孔部１９ａに挿通していることにより阻止される。又このとき、スライドバー１７の先端部が、図３及び図４に示すように、開閉パネル５の最外側縦線材２３ａの外側に重なる位置にあるので、開閉パネル５が手前開動方向に強く引かれても、スライドバー１７の先端部が変形してサイドパネル２，３側の被係止部材１９の横向き貫通孔部１９ａから抜ける恐れはない。そしてこの状態での左右両サイドパネル２，３の前側辺の左右横方向の揺動は、開閉パネル５側の最外側縦線材２３ａと進出限位置に保持されているスライドバー１７の位置決め用フランジ部材３０との間の狭い僅かな範囲内でのみ可能であり、左右両サイドパネル２，３の前側辺を確実に位置決めできる。
【００２１】
開閉パネル５を開くときは、図５に仮想線で示すように、操作レバー１８を手前上方に持ち上げるようにして、スライドバー１７と一体に上向きに回転させ、当該操作レバー１８の縦線材部１８ａ，１８ｂの先端部である係止部２６ａ，２６ｂを、側面視において開閉パネル５側の縦線材２３ｂ，２３ｃより外側に離して、スライドバー１７の係止を解除する。係る状態で操作レバー１８によりスライドバー１７を被係止部材１９から遠ざける方向へ後退限位置まで横動させ、図７及び図１０に示すように、スライドバー１７の先端部を被係止部材１９の横向き貫通孔部１９ａから離脱させる。この後、開閉パネル５を手前に開動させると、左右両サイドパネル２，３側の被係止部材１９が開閉パネル５側のスリット部２９から相対的に後方へ離脱する。スライドバー１７を後退限位置まで横動させたとき、操作レバー１８の内側の縦線材部１８ｂがガイド部材１６の内側の垂直線材部２１ｂに隣接して、それ以上のスライドバー１７の移動が制限されるので、係る状態で操作レバー１８をスライドバー１７と一体に回転させて下方に回倒させる。この結果、操作レバー１８の縦線材部１８ａの先端部である係止部２６ａが開閉パネル５側の縦線材２３ｂの内側（ガイド部材１６の内側の垂直線材部２１ｂがある側）に隣接するので、スライドバー１７から垂れ下がった姿勢の操作レバー１８を介してスライドバー１７が後退限位置に係止されることになる。
【００２２】
尚、ガイド部材１６の構成は上記実施形態に示したものに限定されない。例えば図１１に示すように、ガイド部材１６の左右一対の垂直線材部２１ａ，２１ｂを、スライドバー１７の直下の横線材２４ａに下端が重なる程度に短くし、ガイド部材１６の水平線材部２０と２本の縦線材２３ｂ，２３ｃとの交差隣接部２５ａ，２５ｂと、前記垂直線材部２１ａ，２１ｂの下端と横線材２４ａとの交差隣接部２５ｃ，２５ｄとの４箇所を溶接することにより、ガイド部材１６を開閉パネル５側の線材に固着することができる。又、図１２に示すように、ガイド部材１６の水平線材部２０を開閉パネル５側の最上端の内外二重に配置されている横線材２４の内、外側の横線材の下側に隣接させ、ガイド部材１６の左右一対の垂直線材部２１ａ，２１ｂは、その下端をスライドバー１７の直下の横線材２４ａに重なるように短くし、このガイド部材１６と開閉パネル５側の線材との間の溶接箇所を、水平線材部２０の長さ方向の１箇所と横線材２４との間の並列隣接部２５ａと、垂直線材部２１ａ，２１ｂと横線材２４ａとの２箇所の交叉隣接部２５ｂ，２５ｃの合計３箇所とすることもできる。
【図面の簡単な説明】
【００２３】
【図１】折り畳み自在な荷役用パレットの全体を示す斜視図である。
【図２】同上パレットの概略縦断側面図である。
【図３】Ａ図は係止作用状態の係止装置を示す要部の正面図、Ｂ図は同要部の側面図である。
【図４】Ａ図は操作レバーと位置決め用フランジ部材とを備えたスライドバーの正面図，Ｂ図は同スライドバーの側面図である。
【図５】係止装置の操作レバーの係止解除操作を説明する要部の縦断側面図である。
【図６】係止作用状態の係止装置を示す要部の横断平面図である。
【図７】係止解除状態の係止装置を示す要部の正面図である。
【図８】係止解除状態の係止装置を示す要部の側面図である。
【図９】Ａ図はサイドパネル側の被係止部材を示す要部の正面図、Ｂ図は同要部の側面図である。
【図１０】開閉パネルを閉じるときの状態を示す要部の一部横断平面図である。
【図１１】ガイド部材の取付け構造に関する変形例を示す要部の正面図である。
【図１２】ガイド部材の取付け構造に関する他の変形例を示す要部の正面図である。
【符号の説明】
【００２４】
１    荷支持台
２，３    サイドパネル
４    バックパネル
５    開閉パネル
５ａ    下側パネル部
５ｂ    上側パネル部
１４    係止装置
１６    ガイド部材
１７    スライドバー
１８    操作レバー
１８ａ，１８ｂ    操作レバーの縦線材部
１８ｃ    操作レバーの水平線材部
１９    被係止部材
１９ａ    被係止部材の横向き貫通孔部
２０    ガイド部材の水平線材部
２１ａ，２１ｂ    ガイド部材の垂直線材部
２２ａ，２２ｂ    ガイド部材のスライドバー挿通部
２３，２３ａ〜２３ｃ    開閉パネルの縦線材
２４，２４ａ，２４ｂ    開閉パネルの横線材
２５ａ〜２５ｄ    ガイド部材と開閉パネル線材との隣接部（溶接部）
２６ａ，２６ｂ    操作レバーの係止部
２７，２７ａ，２７ｂ    サイドパネルの縦線材
２８    サイドパネルの横線材
２９    スリット部
３０    位置決め用フランジ部材
【図１】
2009051519.tif 000003
【図２】
2009051519.tif 000004
【図３】
2009051519.tif 000005
【図４】
2009051519.tif 000006
【図５】
2009051519.tif 000007
【図６】
2009051519.tif 000008
【図７】
2009051519.tif 000009
【図８】
2009051519.tif 000010
【図９】
2009051519.tif 000011
【図１０】
2009051519.tif 000012
【図１１】
2009051519.tif 000013
【図１２】
2009051519.tif 000014